(57)【特許請求の範囲】
【請求項１】
遊技者により押圧操作される操作面を有する操作部材と、
前記操作部材を移動可能に収容する収容部材と、
前記操作面に対して光を照射する発光手段を有する基板と、
前記基板を収容するケース体と、を有し、
前記基板は、一方の面を第一の面とし、他方の面を第二の面としたときに、
前記第一の面に実装され、当該第一の面に沿う方向に光を照射し、前記操作面に対して照明する第一の発光手段と、
前記第二の面に実装され、当該第二の面に沿う方向に光を照射し、前記操作面に対して照明する第二の発光手段と、を有し、
前記第一の面及び前記第二の面に沿う方向と、前記操作部材の移動方向とが平行となるように、前記収容部材に収容され、
前記第一の発光手段及び前記第二の発光手段は、
前記基板を挟んで対向配置されるとともに、双方の発光面がほぼ同一面上に位置するように配置され、
前記ケース体は、
前記操作面と前記双方の発光面との間に位置する部分に取付孔が形成され、
前記第一の発光手段及び前記第二の発光手段から照射された光を透過するレンズが、前記取付孔に取り付けられる
ことを特徴とする遊技機。
【請求項２】
前記ケース体に前記基板が収容された状態で、前記第一の面側を覆うケース蓋と、
前記操作部材の移動に伴って変位する検知片と、を有し、
前記第一の面は、
前記検知片の進入を検知するセンサを有し、
前記ケース蓋は、
前記センサを収納するセンサ用カバー部が形成される
ことを特徴とする請求項１記載の遊技機。
【請求項３】
光を透過するシート部材を備え、
前記操作部材は、
前記操作面の裏面側に段差部が形成され、
前記段差部と前記シート部材における表面の周縁部とが当接することで、前記操作面の裏面と、当該シート部材の表面との間に所定の隙間が形成される
ことを特徴とする請求項１又は２記載の遊技機。
【請求項４】
前記収容部材の底面側に取り付けられる蓋部を備え、
前記操作部材と前記蓋部とが、前記収容部材に取り付けられた状態において、前記操作部材に形成される係止部が前記収容部材の内側面に係合し、当該係止部の係合を解除不能な位置に前記蓋部が配置される
ことを特徴とする請求項１〜３のいずれか一項に記載の遊技機。
【発明の詳細な説明】
【技術分野】
【０００１】
本発明は、遊技機に関する。
【背景技術】
【０００２】
スロットマシンやパチンコ機等の遊技機には、遊技者により押圧操作される種々の押しボタンが設けられている。例えば、スロットマシンには、クレジットとして貯留されたメダルをゲームに掛けるためのベットボタンや、回転している複数のリールを順次停止させる停止ボタン等が設けられている。
これらのボタンは、一般に、遊技者に押圧操作されるボタン部と、ボタン部が押下操作されたことを検出する検出手段や発光によりボタン部を照射する発光手段などの部品が実装された基板と、これらのボタン部や基板を収容する収容部とが組み合わされて、一つのユニット（操作手段ユニット）として構成されている（例えば、特許文献１参照）。
【先行技術文献】
【特許文献】
【０００３】
【特許文献１】特開２００７−２６００１０号公報
【発明の概要】
【発明が解決しようとする課題】
【０００４】
しかしながら、遊技者により押圧操作される操作手段ユニットを備えた従来の遊技機においては改良の余地があった。
【課題を解決するための手段】
【０００５】
上記目的を達成するため、本発明の遊技機は、遊技者により押圧操作される操作面を有する操作部材と、前記操作部材を移動可能に収容する収容部材と、前記操作面に対して光を照射する発光手段を有する基板と、前記基板を収容するケース体と、を有し、前記基板は、一方の面を第一の面とし、他方の面を第二の面としたときに、前記第一の面に実装され、当該第一の面に沿う方向に光を照射し、前記操作面に対して照明する第一の発光手段と、前記第二の面に実装され、当該第二の面に沿う方向に光を照射し、前記操作面に対して照明する第二の発光手段と、を有し、前記第一の面及び前記第二の面に沿う方向と、前記操作部材の移動方向とが平行となるように、前記収容部材に収容され、前記第一の発光手段及び前記第二の発光手段は、前記基板を挟んで対向配置されるとともに、双方の発光面がほぼ同一面上に位置するように配置され、前記ケース体は、前記操作面と前記双方の発光面との間に位置する部分に取付孔が形成され、前記第一の発光手段及び前記第二の発光手段から照射された光を透過するレンズが、前記取付孔に取り付けられる構成としてある。
【図面の簡単な説明】
【０００６】
【図１】スロットマシンの構成を示す正面図である。
【図２】スロットマシンの内部構成を示す斜視図である。
【図３】ＭＡＸベットボタンの外観斜視図である。
【図４】ＭＡＸベットボタンの構成を示す斜め上方から見た分解斜視図である。
【図５】ＭＡＸベットボタンの構成を示す斜め下方から見た分解斜視図である。
【図６】収容部の構成を示す図であって、（ａ）は平面図、（ｂ）は底面図である。
【図７】センサユニットの構成を示す分解斜視図である。
【図８】基板の構成を示す図であって、（ａ）は正面図、（ｂ）は背面図、（ｃ）は右側面図である。
【図９】ＭＡＸベットボタンの構成を示す断面図であり、（ａ）は図３のＡ−Ａ断面図、（ｂ）は図３のＢ−Ｂ断面図である。
【図１０】可動部にバネが配置された状態を裏面側から見た外観斜視図である。
【発明を実施するための形態】
【０００７】
以下、本発明に係る遊技機の好ましい実施形態について、図面を参照して説明する。
【０００８】
［遊技機］
遊技者により押圧操作される操作手段ユニットを備えた遊技機には、スロットマシン、パチンコ機、パロットなど様々な種類があるが、本実施形態では、本発明をスロットマシンに適用した場合について説明する。
【０００９】
本実施形態のスロットマシンは、複数のリールを回転させることによって遊技媒体であるメダルを獲得できる回胴式遊技機として構成されており、遊技者により押圧操作される操作手段ユニットが備えられ、この操作手段ユニットの内部には、遊技者により押圧操作されて移動する可動部と所定の部品が実装される基板とを有し、基板が、一方の面を第一の面とし、他方の面を第二の面としたときに、第一の面と第二の面の両面にそれぞれ所定の部品が実装され、第一の面及び第二の面に沿う方向と、可動部の移動方向が平行となるように設けられる構成となっている。
以下、本実施形態に係るスロットマシンについて詳述する。
【００１０】
図１、図２に示すように、本実施形態のスロットマシン１は、メダル投入口２から実際に投入されるメダルの数（例えば、３枚）、又は内部的に記憶されたクレジットメダルからＭＡＸベットボタン１０又はベットボタン８の押圧操作によって信号形式で投入されるメダルの数（例えば、３枚）に応じてゲーム開始可能な状態となり、この状態でスタートレバー３が操作されると、複数のリール４（４ａ〜４ｃ）が回転を開始するとともに、それぞれのリール４（４ａ〜４ｃ）に対応する操作ボタン５（５ａ〜５ｃ）が押圧操作されると、スタートレバー３の操作タイミングで行われる抽選処理の抽選結果に応じた図柄の組合せで停止するように各リール４（４ａ〜４ｃ）が停止制御され、停止した図柄の組合せに基づいて入賞の有無が判定され、判定結果に応じてメダル払出装置６からメダルが払い出されるという、通常のスロットマシン遊技を実現可能な構成を備えている。
【００１１】
このようなスロットマシン遊技を実現可能なスロットマシン１においては、遊技者により押圧操作される操作手段ユニットが、スロットマシン１の前扉１ａの前面に設けられている。
この操作手段ユニットとしては、例えば、各リール４（４ａ〜４ｃ）の回転を停止させる停止ボタン５やクレジットとして貯留されたメダルをゲームに掛けるためのＭＡＸベットボタン１０がある。
また、操作手段ユニットについては、一般に次のような構成となっている。
操作手段ユニットは、遊技者によって押圧操作されるボタン部と、ボタン部を押圧方向への移動可能に収容する収容部とを備え、さらに、この収容部の内部には、ボタン部が押下操作されたことを検出する検出手段やボタン部を背面から照明する発光手段などの部品が実装された基板が配置されている。
【００１２】
このような構造を有する従来の操作手段ユニットにおいては、次のような問題があった。
例えば、遊技者により押圧操作されて移動するボタン部の移動方向をボタン移動方向とし、基板の表面のうち部品が実装された面を実装面とすると、基板は、実装面がボタン移動方向に対して直交する方向となるように収容部の内部に配置（以下、横型配置ともいう）される。
また、基板の実装面には、上述したように検出手段や発光手段などの複数の部品が実装されるので、この実装面の面積を広くする必要がある。
さらに、このように実装面の面積が広い基板を収容部の内部に配置するためには、この収容部の内形を大きくしなければならない。そうすると、収容部の外形も大きくなり、操作手段ユニット全体の大きさが大きくなる。
このような操作手段ユニットをスロットマシンの前扉の前面などに取り付けると、前扉の背面側で他の部品と干渉して、取付位置が制限されるといった問題があった。
【００１３】
そこで、これら種々の問題を解決するために、本発明では、基板の実装面の両面にそれぞれ部品を実装し、実装面がボタン移動方向に対して直交する方向となるように基板を収容部の内部に配置（以下、縦型配置ともいう）する構成とした。
これにより、基板が収容部の深さ方向に沿うように配置されるので、基板を横型配置にした場合と比べて、収容部の内形を小さくすることができる。さらに、基板の実装面の両面に部品を実装できるので、部品を配置する位置の自由度が高まり、基板面積を狭くすることができ、収容部の内形を小さくすることができる。
そのため、操作手段ユニット全体の大きさも小さくすることができる。
ここに説明した課題及び効果は一例であり、本発明は、遊技機における様々な問題を解決するために適用可能である。
このような顕著な効果を奏する本実施形態の操作手段ユニットであるＭＡＸベットボタン１０について、図３〜図１０を参照して、以下に説明する。
【００１４】
［操作手段ユニット］
これらの図に示すように、操作手段ユニットであるＭＡＸベットボタン１０は、遊技者により押圧操作されて移動する可動部１１と、可動部１１が移動する方向とは反対の方向へ可動部１１を付勢する付勢部材であるバネ１２と、可動部１１を押圧方向へ移動可能に収容する収容部１３と、センサ２２２等が実装された基板２２を収納するセンサユニット２０と、収容部１３の底面側を閉塞する蓋部１４などを備えて構成されている。
【００１５】
可動部１１は、ボタンキャップ１１ａと、文字シート１１ｂと、ボタンベース１１ｃとから構成されており、ボタンベース１１ｃの上面に文字シート１１ｂが重ねられ、文字シート１１ｂの上からボタンキャップ１１ａが被せられることで、これらが一体化して形成されている。
【００１６】
ボタンキャップ１１ａは、キャップ状に形成されており、遊技者によって押圧操作される際に接触される操作面１１２と、操作面１１２の周縁から直交方向に延伸した環状の側部を有している。
また、ボタンキャップ１１ａは、透明又は半透明の材料で形成されており、裏面側から光が照射されると、操作面１１２が外部（遊技者側）に向かって光って見えるようになっている。
文字シート１１ｂは、光透過性の樹脂シートにより構成され、表面に「ＭＡＸＢＥＴ」の文字が印刷により描かれている。これにより、ボタンキャップ１１ａの操作面１１２を介してその文字を視認することができる。
【００１７】
ボタンキャップ１１ａの操作面１１２の裏面には、図５に示すように、環状の段差部１１３が形成されている。
この段差部１１３は、文字シート１１ｂの上からボタンキャップ１１ａが被せられた状態で、文字シート１１ｂの表面の周縁部と当接するようになっている。これにより、操作面１１２の裏面と段差部１１３に当接しない文字シート１１ｂの表面との間に隙間が形成される。
このような隙間が形成されることによって、操作面１１２の裏面と文字シート１１ｂの表面とが接触しないので、操作面１１２の裏面と文字シート１１ｂの表面とが擦れ合うことで生じる磨耗粉の発生を防ぐことができ、そのため、磨耗粉が文字シート１１ｂの表面に付着して操作面１１２の美観を損ねてしまうことがない。
【００１８】
ボタンベース１１ｃは、遊技者による操作面１１２の押圧操作に応じて、ボタンキャップ１１ａとともに進退動作する部材である。
このボタンベース１１ｃは、ボタンキャップ１１ａに被覆される頭部１１ｃ−１と、収容部１３の内部に収容される胴部１１ｃ−２とから構成されている。
頭部１１ｃ−１の周面には、周面から外方に向かって突設された係合凸部１１５が形成されている。係合凸部１１５は、ボタンベース１１ｃにボタンキャップ１１ａを取り付けるときに、ボタンキャップ１１ａの被係合部１１１と係合する。これにより、ボタンキャップ１１ａとボタンベース１１ｃが分離不能に係合された状態となる。
【００１９】
胴部１１ｃ−２の周縁には、胴部１１ｃ−２から下方に向かって突出する先端鉤状の係合爪部１１３が形成されている。
この係合爪部１１３は、胴部１１ｃ−２の軸心を挟んで対向した位置に二つ形成されており、それぞれが収容部１３の内側面に設けられた係合用突起１３８に係合するようになっている（図９（ａ）参照）。
また、胴部１１ｃ−２の内部には、胴部１１ｃ−２から下方に向かって突出する検知片１１４が形成されている。
この検知片１１４は、操作面１１２が押圧操作されると、検知片１１４の先端が後述するセンサユニット２０の検知用切欠き２３２ａ間を通過するようになっており、この通過によって操作面１１２が押圧操作されたことを検出するために設けられている。
【００２０】
このように構成された可動部１１は、収容部１３の上部開口１３ａから内方に押し込むことで収容部１３に取り付けることができる。
収容部１３は、可動部１１を収容する可動部収容空間とセンサユニット２０と蓋部１４を収容するセンサユニット収容空間とを有しており、これらの空間の境となる仕切り部１３４が収容部１３の内部に形成されている。
この仕切り部１３４には、図６に示すように、センサユニット２０のレンズ２４が挿通可能なレンズ用開口１３５と、ボタンベース１１ｃの係合爪部１１３が挿通可能な係合爪部用開口１３６と、ボタンベース１１ｃの検知片１１４が挿通可能な検知片用開口１３７が穿設されている。
【００２１】
可動部１１を収容部１３に取り付ける際に、可動部１１を収容部１３の上部開口１３ａから内方に押し込むと、可動部１１の係合爪部１１３が係合爪部用開口１３６に挿通し、可動部１１の検知片１１４が検出片用開口１３７に挿通する。
係合爪部用開口１３６を挿通した係合爪部１１３は、係合爪部用開口１３６に設けられた係合用突起１３８に係合する。具体的には、係合爪部１１３が収容部１３の内方に押し込まれると、係合爪部１１３の先端の鉤部分が収容部１３の内周面に当接し、弾性変形して収容部１３の内方へ進入する。そして、係合爪部１１３の鉤部分が係合用突起１３８を抜け出ると、弾性変形する前の形状に復元し、係合爪部１１３の鉤部分が係合用突起１３８に引っ掛かるように係止する。
【００２２】
収容部１３の内側面には、周方向に沿って段差部１３３が形成されている。
この段差部１３３は、可動部１１が押圧操作によって押圧方向に移動したときに頭部１１ｃ−１の下端面が当接又は近接する部分である。例えば、可動部１１が収容部１３に取り付けられた状態で、可動部１１が押下操作された場合には、段差部１３３に頭部１１ｃ−１の下端面が当接し、それ以上の収容部１３の内部への進入が制限される。
【００２３】
また、収容部１３の下部開口１３ｂから内方に蓋部１４を押し込むことで、収容部１３に蓋部１４を取り付けることができる。このとき、蓋部１４の底面にセンサユニット２０が載置された状態で取り付けられる。
センサユニット２０は、操作面１１２が押圧操作されたことを検出する機能と、操作面１１２に対して照明する機能等を実行する電子部品の集合ユニットであって、図７に示すように、センサ２２２やＬＥＤ２２１等の電子部品が実装された基板２２を、ケース２１の内部に収納する構成となっており、ケース２１の上面にはレンズ２４が設けられている。
【００２４】
基板２２には、ＬＥＤ２２１と、センサ２２２と、コネクタ２２３が実装されている。
具体的には、図８に示すように、基板２２の実装面のうち第一の面２２ａにはセンサ２２２が実装され、第二の面２２ｂにはコネクタ２２３が実装され、第一の面２２ａと第二の面２２ｂの両面にはＬＥＤ２２１が実装されている。
【００２５】
ＬＥＤ２２１は、所定のタイミングで発光して、可動部１１の操作面１１２を背面側から照明する発光手段である。
本実施形態のＬＥＤ２２１は、第一の面２２ａと第二の面２２ｂに沿う方向に光を照射する（図８の照射方向Ｄ）、いわゆるサイドビュータイプのＬＥＤを用いている。そのため、第一の面２２ａと第二の面２２ｂに実装された双方のＬＥＤ２２１の発光面２２１ａは、可動部１１の操作面１１２と対向する向きに設けられている。
【００２６】
センサ２２２は、可動部１１が押圧操作されたことを検出する操作検出手段であり、光を検知光として出射する投光素子２２２ａと、その検知光を受光する受光素子２２２ｂとを備えたフォトセンサである。
センサ２２２は、投光素子２２２ａと受光素子２２２ｂとの間に可動部１１の検知片１１４が進入することによって、センサ２２２の光軸（投光素子２２２ａから受光素子２２２ｂへの光の通り道）が遮られて、操作面１１２が押圧操作されたことを検知できるようになっている。また、センサ２２２は、検知片１１４の進入を検知すると、検知信号を主制御部７へ送信する。
【００２７】
コネクタ２２３は、例えば、ＬＥＤ２２１に電流を流して照射させるための配線と、センサ２２２（投光素子２２２ａ）に電流を流して検知光を出射させるための配線と、センサ２２２（受光素子２２２ｂ）で検知光が受光されたことで出力された検知信号を外部（例えば、主制御部７）へ伝達可能な配線が、外部から接続されている。
【００２８】
このように構成された基板２２は、ケース２１に対して次のように収納される。
基板２２の第二の面２２ｂが、ケース２１の開口２１４に対向するような向きで、開口２１４からケース２１の内部へ基板２２を挿入する。このとき、コネクタ２２３をケース２１の背面に設けられたコネクタ用開口２１２に嵌め込むように基板２２を挿入する。
そして、基板２２がケース２１内に挿入された状態で、ケース２１の開口２１４にケース蓋部２３を嵌合し、開口２１４を閉塞する。このとき、ケース蓋部２３の上面に形成された係合凸部２３１とケース２１の上面に形成された被係合部２１３が係合して、ケース２１とケース蓋部２３が固定される。
これにより、基板２２がケース２１に収納されて、センサ２２２等の部品がケース２１及びケース蓋部２３により完全に覆い隠された状態となる。
【００２９】
ケース蓋部２３には、センサ２２２を収納するための中空のセンサ用カバー２３２が二つ形成されている。
センサユニット２０が組み立てられた状態で、一のセンサ用カバー２３２に投光素子２２２ａが収納され、他のセンサ用カバー２３２に受光素子２２２ｂが収納されるようになっている。
また、双方のセンサ用カバー２３２には、それぞれ検知用切欠き２３２ａが形成されており、この検知用切欠き２３２ａ間には、センサ２２２の光軸が露出するようになっている。
【００３０】
レンズ２４は、例えば、凹レンズからなり、凹レンズによる効果によって、ＬＥＤ２２１から照射された光を透過し、拡散させて出射させることができる。
なお、本実施形態のレンズ２４は、光の拡散や操作面１１２での輝度の均一化を図るために、適切なレンズ構造（曲率）で設定されている
レンズ２４は、ケース２１の上面から立設された円筒形状のレンズ取付孔２１１に取り付けられる。また、センサユニット２０が収容部１３に収容された状態では、収容部１３の仕切り部１３４に穿設されたレンズ用開口１３５に挿通される。
【００３１】
蓋部１４は、蓋部１４の周縁から突出する先端鉤状の係合爪部１４１と、蓋部１４の底面から突出するコ字状のガイド部１４２を備えている。
係合爪部１４１は、蓋部１４を収容部１３に取り付ける際に、収容部１３の外周に形成された被係合部１３２と係合する。
ガイド部１４２は、蓋部１４の底面に載置したセンサユニット２０を底面と垂直方向に立設した状態で位置決めするための機能を備えており、蓋部１４の軸心を挟んで対向した位置に二つ形成されている。
また、蓋部１４には、基板２２に実装されたコネクタ２２３に対応する位置にコネクタ用開口１４４が形成されており、蓋部１４を収容部１３に取り付けたときに、コネクタ２２３がコネクタ用開口１４４を介して外部に露出するようになっている。これにより、外部からの配線をコネクタに接続することができる。
【００３２】
次に、ＭＡＸベットボタン１０の組み立て方法について説明する。
まず、可動部１１を収容部１３に取り付ける。
具体的には、ボタンベース１１ｃの上面に文字シート１１ｂを重ね、文字シート１１ｂの上からボタンキャップ１１ａを被せることで組み立てられた可動部１１を、一対の係合爪部１１３と検知片１１４が、それぞれ係合爪部用開口１３６と検知片用開口１３７に挿通可能なように位置を合わせ、収容部１３の上部開口１３ａから内方へ押し込むことで、係合爪部１１３と係合用突起１３８が係合して、可動部１１が収容部１３に取り付けられる。
また、可動部１１を収容部１３に取り付けるときには、可動部１１と収容部１３との間にバネ１２を配設した状態で取り付ける。バネ１２は、一方の端面が収容部１３の仕切り部１３４に当接し、他方の端面が１１の胴部１１ｃ−２の内面に当接する。これにより、可動部１１は、収容部１３の内部で押圧方向又はその反対方向に移動可能となっている。
【００３３】
次いで、蓋部１４を収容部１３に取り付ける。
具体的には、センサユニット２０を蓋部１４の底面に載置し、この蓋部１４を収容部１３の下部開口１３ｂから内方へ押し込むことで、蓋部１４の係合爪部１４１と収容部１３の被係合部１３２が係合して、蓋部１４とセンサユニット２０が収容部１３に取り付けられる。
さらに、蓋部１４のネジ孔１４３にネジ１５を挿入し、このネジ１５を収容部１３に形成されたボス１３９に螺合することで、蓋部１４が収容部１３に螺着固定される。これにより、ＭＡＸベットボタン１０の組み立てが完了する。
また、収容部１３の外周面に沿って形成された螺合部１３１に、取付ナット１６を螺合することでＭＡＸベットボタン１０をスロットマシン１に固定することができる。
【００３４】
ここまで、本実施形態のＭＡＸベットボタン１０の構成について説明したが、以上のような構成を備えたＭＡＸベットボタン１０は、次に挙げる特徴を備えている。
（１）部品を両面実装し、縦型配置とした基板２２
（２）サイドビュータイプのＬＥＤ２２１
（３）二つのＬＥＤ２２１の発光面２２１ａを覆うように設けられるレンズ２４
（４）収容部１３の軸心側に設けられる検知片１１４
（５）スロットマシン１の背面側を向くように配置されるコネクタ２２３
（６）センサ２２２等が実装された基板２２を収納するセンサユニット２０
（７）こじ開けを防止可能な構造
これらの特徴について、以下順に説明する。
【００３５】
（１）部品を両面実装し、縦型配置とした基板２２
基板２２は、第一の面２２ａと第二の面２２ｂの両面にそれぞれ部品を実装し、第一の面２２ａ及び第二の面２２ｂに沿う方向と、可動部１１の移動方向とが平行となるように、収容部１３の内部に配置してある。
このように、収容部１３の内部に基板２２を縦型配置としたことで、実装面が収容部１３の深さ方向に沿って立設した状態に配置されるため、基板を横型配置にした場合と比べて、収容部１３の径を小さくすることができる。
さらに、第一の面２２ａと第二の面２２ｂの両面に部品を実装できるので、部品を配置する位置の自由度が高まる。これにより、実装面の基板面積を狭くすることができ、この基板面積の狭い基板２２を収容部１３の内部に配置すると、収容部１３の径を小さくすることができる。
このように、基板２２を収容する収容部１３の径が小さくなることによって、ＭＡＸベットボタン１０全体の大きさも小さくすることができる。
【００３６】
また、操作面１１２において十分な輝度を確保するといった理由から、一般に操作面１１２の近くの位置に発光手段（ＬＥＤ２２１）を配置することが望ましい。本実施形態では、基板２２を縦型配置としたことで、操作面１１２と、第一の面２２ａ及び第二の面２２ｂに実装されたＬＥＤ２２１との距離が近い位置に配置可能なため、操作面１１２において十分な輝度を確保することができるようになっている。
【００３７】
（２）サイドビュータイプのＬＥＤ２２１
本実施形態のＭＡＸベットボタン１０には、基板２２の第一の面２２ａと第二の面２２ｂの両面に、第一の面２２ａ及び第二の面２２ｂに沿う方向に光を照射し、操作面１１２に対して照明するサイドビュータイプのＬＥＤ２２１が実装されている。
これにより、基板２２の実装面と垂直な方向に光を照射するトップビュータイプのＬＥＤを基板２２に実装した場合と比べて、次の点で相違する。
【００３８】
トップビュータイプのＬＥＤを基板に実装した場合には、例えば、実装面と垂直な方向に照射される光を操作面１１２に向けて反射させるための反射部材や、他の部品（例えば、センサ）に光が伝播しないように遮蔽するための遮蔽部材を設ける必要がある。
ところが、本実施形態のＭＡＸベットボタン１０は、サイドビュータイプのＬＥＤ２２１を用いているため、上記のような部材が不要となる。これにより、収容部１３内に設ける部品点数を減らすことができるので、ＭＡＸベットボタン１０の製造コストを低減できるとともに、収容部１３の径を小さくすることができる。そのため、ＭＡＸベットボタン１０全体の小型化を図ることができる。
【００３９】
また、図８（ｃ）等に示すように、第一の面２２ａに実装されたＬＥＤ２２１と第二の面２２ｂに実装されたＬＥＤ２２１が、基板２２を挟んで対向配置されるとともに、双方のＬＥＤ２２１の発光面２２１ａがほぼ同一面上に位置するように配置されている。
これにより、第一の面２２ａと第二の面２２ｂに実装された双方のＬＥＤ２２１の発光面２２１ａから操作面１１２までの距離がほぼ同じになるので、各ＬＥＤ２２１から操作面１１２に入射される光の輝度を同程度にすることができる。これによって、操作面１１２を均一に発光させることができる。
【００４０】
また、ＬＥＤ２２１は、チップ型のＬＥＤであるため、砲弾型のＬＥＤを基板に実装した場合と比べると、光の照射方向が操作面１１２に向かうようにＬＥＤの足を曲げるといった工程が不要になる。また、ＬＥＤの足を曲げることによる足折れの虞もない。
さらに、砲弾型と比べて小型で薄いので、収容部１３の径も小さくすることができる。
【００４１】
（３）二つのＬＥＤ２２１の発光面２２１ａを覆うように設けられるレンズ２４
本実施形態のＭＡＸベットボタン１０には、図９（ｂ）に示すように、基板２２を挟んで対向配置されたＬＥＤ２２１の双方の発光面２２１ａを覆うようにレンズ２４が設けられている。
これにより、第一の面２２ａに実装されたＬＥＤ２２１と第二の面２２ｂに実装されたＬＥＤ２２１の双方の発光面２２１ａから照射される光を、一のレンズ２４を介して操作面１１２へ拡散させることができる。そのため、レンズの数を増やすことなく、一のレンズ２４で効率よく光を拡散させることができる。
【００４２】
（４）収容部１３の軸心側に設けられる検知片１１４
可動部１１の胴部１１ｃ−２内部には、図１０に示すように、レンズ２４から出射された光を操作面１１２へ集光するための集光部１１６が形成されている。
集光部１１６は、胴部１１ｃ−２の内部上端からボタンベース１１ｃの下方に向かうに従って軸心方向へ傾斜するように漏斗状に形成されている。
この集光部１１６の開口１１６ａ付近には、検知片１１４が設けられている。つまり、検知片１１４は、ボタンベース１１ｃの軸心に近い位置から下方に向けて突出するように形成されている。
このような位置に検知片１１４が設けられることで、検知片１１４の進入を検知するセンサ２２２（投光素子２２２ａと受光素子２２２ｂ）も収容部１３の軸心に近い位置に実装されることになる。
これにより、センサ２２２が基板２２の第一の面２２ａと近い位置に実装されるので、センサ２２２を被覆するためのセンサカバー２３２の大きさも小さくすることができ、収容部１３の径も小さくすることができる。
【００４３】
また、可動部１１の胴部１１ｃ−２内部には、図１０に示すように、検知片１１４とボタンベース１１ｃの軸心を挟んで対向する位置に支持部１１７が形成されている。
バネ１２を可動部１１の胴部１１ｃ−２内に配置させたとき、バネ１２よりも内側に検知片１１４と支持部１１７が位置するとともに、バネ１２よりも外側に胴部１１ｃ−２の外周壁が位置するようになっている。具体的には、バネ１２の内周側が検知片１１４と支持部１１７に接触しており、バネ１２の外周側が胴部１１ｃ−２の外周壁に接触している。
このように、バネ１２は径方向両側から支持された状態で胴部１１ｃ−２内に配置される。これにより、遊技者による押圧操作によって可動部１１が押下された際に、バネ１２が径方向にブレるのを抑制することができる。
【００４４】
（５）スロットマシン１の背面側を向くように配置されるコネクタ２２３
コネクタ２２３は、図７等に示すように、基板２２の第二の面２２ｂに実装されており、この第二の面２２ｂがスロットマシン１の背面側を向くように設けられている。
これにより、ＭＡＸベットボタン１０がスロットマシン１の前扉１ａの前面に取り付けられた状態で、例えば、コネクタ２２３の配線作業をするような場合には、コネクタ２２３がスロットマシン１の前扉１ａの背面側に位置するため、作業者は配線処理が容易になり、組み付け効率の向上、保守点検時の作業時間の短縮などが可能となる。
【００４５】
（６）センサ２２２等が実装された基板２２を内部に収納するセンサユニット２０
ＭＡＸベットボタン１０を対象とした不正行為には、次のようなものがある。
例えば、静電気を発生可能な小型の器具、具体的には電子ライターなどを操作面１１２の方に向けて静電気を発生させて電圧を印加し、ＭＡＸベットボタン１０の内部に配置された基板２２に大きな放電電流を流し、さらに、この基板２２に接続された主制御部７に放電電流を流して、主制御部７の誤動作を誘発して、遊技媒体であるメダルを不正に払い出させるという不正行為がある。
【００４６】
そこで、本実施形態のＭＡＸベットボタン１０においては、このような静電気を用いた不正行為に対応した構成を備えている。
具体的には、ＭＡＸベットボタン１０は、ＬＥＤ２２１、センサ２２２、コネクタ２２３等が実装される基板２２をケース２１内部に収納し、外部からのアクセスが不能な状態にユニット化したセンサユニット２０を備えている。
これにより、例えば、電子ライターなどを用いて可動部１１と収容部１３との隙間で静電気を発生させる不正行為が行われた場合、その静電気は、センサユニット２０により遮蔽されて、基板２２に到達することができない。このため、その静電気の衝撃に伴って放電電流が流れて基板２２が破壊されるといった事態を防止できる。また、基板２２から主制御部７に放電電流が流れて不正にメダルが払い出されるといった事態を回避できる。
【００４７】
また、電子ライターを使用した不正行為の他に、例えば、可動部１１と収容部１３との隙間にリード線を挿入し、このリード線の先端から静電気を発生させる不正行為がある。ただし、このようにリード線を用いて不正行為が行われた場合でも、挿入されたリード線の先端がセンサユニット２０により遮蔽されて、基板２２に到達することができない。このことから、そのリード線の先端から発生した静電気の影響を受けて基板２２が破壊されるといった事態を防止できる。また、基板２２から主制御部７に放電電流が流れて不正にメダルが払い出されるといった事態を回避できる。
【００４８】
（７）こじ開けを防止可能な構造
ＭＡＸベットボタン１０に対する不正行為として、上記の他に、例えば、可動部１１と収容部１３との間隙に不正工具（例えば、ドライバーなど）を挿入して、可動部１１を無理に取り外し、ＭＡＸベットボタン１０をこじ開けることで、内部に配置された基板２２や基板２２に接続された主制御部７に、不正に電気信号を送り込み、電流を流して有利な遊技状態にするといった不正行為がある。
【００４９】
そこで、本実施形態のＭＡＸベットボタン１０においては、このようなこじ開けによる不正行為に対応した構成を備えている。
具体的には、図９（ａ）に示すように、ＭＡＸベットボタン１０が組み立てられた状態では、可動部１１の係止爪部１１３が収容部１３の係合用突起１３８に係合することで、可動部１１は収容部１３に固定されるようになっている。
この係合状態において、係止爪部１１３を係合している方向と反対の方向（脱抜方向）に撓ませることで、係止爪部１１３と係合用突起１３８の係合を解除させようとしても、脱抜方向に係止爪部１１３が撓んだ際に、蓋部１４のガイド部１４２の側面に係止爪部１１３の側面が接触する構造としてあるため、係止爪部１１３と係合用突起１３８の係合が解除不能になっている。
このような構成により、ＭＡＸベットボタン１０は、上記のようなこじ開けによる不正行為を確実に阻止することができ、これにより、基板２２に不正な電気信号を送り込んで有利な遊技状態にするといった不正行為を有効に防止できる。
【００５０】
以上説明したように、本実施形態の遊技機によれば、センサ２２２等が実装される基板２２を収容する収容部１３の径を小さくすることができ、ＭＡＸベットボタン１０全体の小型化を図ることができる。
【００５１】
以上、本発明の遊技機の好ましい実施形態について説明したが、本発明に係る遊技機は上述した実施形態にのみ限定されるものではなく、本発明の範囲で種々の変更実施が可能であることは言うまでもない。
【００５２】
例えば、上述した実施形態では、操作手段ユニットの例として、ＭＡＸベットボタン１０を挙げたが、これに限るものではなく、例えば、スロットマシン１に備えられる一回の操作につき一枚のメダルを掛けるベットボタン８、停止ボタン５、パチンコ機に備えられるチャンスボタンなどを適用することもできる。
【００５３】
また、上述した実施形態では、ＬＥＤ２２１を第一の面２２ａと第二の面２２ｂの両面に実装した場合で説明したが、これに限らず、第一の面２２ａ又は第二の面２２ｂの一の面のみにＬＥＤ２２１を実装してもよい。なお、この場合には、一方の面に実装したＬＥＤ２２１から照射される光が操作面１１２に均一に拡散可能なレンズ２４を設けることが好ましい。
【００５４】
また、上述した実施形態では、二つのＬＥＤ２２１に対して一つのレンズ２４を設ける場合で説明したが、これに限らず、各ＬＥＤ２２１に対してそれぞれレンズ２４を設けてもよい。
【００５５】
また、上述した実施形態では、遊技機の例としてスロットマシンを挙げたが、遊技機は、メダル、遊技球等の現物の遊技媒体を用いることなく、データ形式の擬似遊技媒体を用いてゲームを実行可能な、いわゆる封入式遊技機であっても、遊技者により押圧操作される操作手段ユニットを備える限り、本発明の遊技機に該当する。
【符号の説明】
【００５６】
１        スロットマシン（遊技機）
１０      ＭＡＸベットボタン（操作手段ユニット）
１１      可動部
１１２    操作面
１１４    検知片
１２      バネ（付勢部材）
１３      収容部
１４      蓋部
２０      センサユニット
２２      基板
２２ａ    第一の面
２２ｂ    第二の面
２２１    ＬＥＤ（発光手段）
２２１ａ  発光面
２２２    センサ（操作検出手段）
２２３    コネクタ
２４      レンズ
【図１】
0006518920.tif 000002
【図２】
0006518920.tif 000003
【図３】
0006518920.tif 000004
【図４】
0006518920.tif 000005
【図５】
0006518920.tif 000006
【図６】
0006518920.tif 000007
【図７】
0006518920.tif 000008
【図８】
0006518920.tif 000009
【図９】
0006518920.tif 000010
【図１０】
0006518920.tif 000011